(57)【要約】【課題】外部からの磁性体による不正行為と振動による不正行為の双方を一の検知部材で検知することが可能な遊技機を提供する。【解決手段】磁気検知部材６１と、磁性体６２と、磁気検知部材あるいは磁性体の一方が取り付けられ、取り付けられた磁気検知部材あるいは磁性体の位置を通常時に位置する第１位置から第２位置に変位可能な変位部材６３とを備え、変位部材を遊技機本体枠あるいは遊技盤の一方または他方に取り付けると共に、磁気検知部材あるいは磁性体のうち変位部材に取り付けられていない一方を遊技機本体枠あるいは遊技盤の一方または他方に取り付け、磁気検知部材は、変位部材に取り付けられた磁気検知部材あるいは磁性体が当該遊技機の少なくとも一部の振動に伴って第２位置になるときに磁性体の磁気が検知可能な位置であると共に、外部からの磁性体Ｍの磁気が検知可能な位置に保持されていることを特徴とする。【選択図】図５
2008289637.tif 000002
【特許請求の範囲】
【請求項１】
遊技機本体枠と、前記遊技機本体枠に着脱可能に取り付けられると共に遊技球が流下可能な遊技領域を有する遊技盤と、前記遊技領域が視認可能な位置に配設された透明板とを備えた遊技機において、
磁気を検知可能な磁気検知部材と、
磁気を有する磁性体と、
前記磁気検知部材あるいは前記磁性体の一方が取り付けられ、前記取り付けられた磁気検知部材あるいは磁性体の位置を通常時に位置する第１位置から第２位置に変位可能な変位部材とを備え、
前記変位部材を前記遊技機本体枠あるいは前記遊技盤の一方または他方に取り付けると共に、前記磁気検知部材あるいは前記磁性体のうち前記変位部材に取り付けられていない一方を前記遊技機本体枠あるいは前記遊技盤の一方または他方に取り付け、
前記磁気検知部材は、前記変位部材に取り付けられた磁気検知部材あるいは磁性体が当該遊技機の少なくとも一部の振動に伴って前記第２位置になるときに前記磁性体の磁気が検知可能な位置であると共に、外部からの磁性体の磁気が検知可能な位置に保持されていることを特徴とする遊技機。
【請求項２】
前記磁気検知部材が磁気を検知したことを報知する報知手段を備えたことを特徴とする請求項１に記載の遊技機。
【請求項３】
前記変位部材に取り付けられた磁気検知部材あるいは磁性体の変位方向を規制する規制部材を備えたことを特徴とする請求項１又は２に記載の遊技機。
【請求項４】
前記磁気検知部材が前記磁性体の磁気を検知するための第１検知部と前記外部からの磁性体の磁気を検知するための第２検知部とを有し、
前記第１検知部による検知と前記第２検知部による検知が識別可能な識別手段を備えたことを特徴とする請求項１ないし３のいずれか１項に記載の遊技機。
【請求項５】
前記磁気検知部材が、前記遊技領域のうち遊技球の入球を起因に遊技者に対して価値を付与する入球領域付近に配設されたことを特徴とする請求項１ないし４のいずれか１項に記載の遊技機。
【請求項６】
前記磁性体の磁気を前記磁気検知部材以外に作用させないように遮蔽するカバー部材が設けられたことを特徴とする請求項１ないし５のいずれか１項に記載の遊技機。
【発明の詳細な説明】
【技術分野】
【０００１】
本発明は、外部からの磁性体による不正行為と振動による不正行為の双方を検知することができる遊技機に関する。
【背景技術】
【０００２】
一般に、パチンコ遊技機等の遊技機は、遊技球が流下可能な遊技領域を有する遊技盤を備え、前記遊技盤の前面には遊技領域が視認可能な透明板が配置されていて、前記遊技領域に向かって発射された遊技球が遊技領域内を流下して所定位置に配置された入球領域に入球することによって、遊技者に対して所定数の賞球が付与されるように構成される。
【０００３】
ところで、このような遊技機では、遊技者によっては不正行為を行って賞球を得ようとする場合があるため、前記不正行為を検知する手段が設けられている。この検知手段としては、例えば、磁石等の磁性体を透明板の外部から近付けて前記磁性体の磁気を利用して遊技領域内を流下する遊技球を故意に動かして入球領域等に入球させる不正行為に対し、遊技領域上に磁気センサーを設けて外部からの磁性体の磁気を検知して不正行為を報知する遊技機が知られている（例えば、特許文献１参照。）。
【０００４】
しかしながら、上記外部からの磁性体を用いた不正行為の他、遊技者が遊技機の遊技領域付近を叩く等して衝撃を与えて遊技機を振動させることで遊技領域内を流下する遊技球を入球領域に故意に入球させる不正行為もあり、前記磁気センサーを設けた構成では振動による不正行為の検知が困難で、振動による不正行為を検知する場合には新たな検知手段を別途設けなければならなかった。
【特許文献１】特開２００５−１３７８７７号公報
【発明の開示】
【発明が解決しようとする課題】
【０００５】
この発明は前記の状況に鑑みなされたものであり、外部からの磁性体による不正行為と振動による不正行為の双方を一の検知部材で検知することが可能な遊技機を提供するものである。
【課題を解決するための手段】
【０００６】
すなわち、請求項１の発明は、遊技機本体枠と、前記遊技機本体枠に着脱可能に取り付けられると共に遊技球が流下可能な遊技領域を有する遊技盤と、前記遊技領域が視認可能な位置に配設された透明板とを備えた遊技機において、磁気を検知可能な磁気検知部材と、磁気を有する磁性体と、前記磁気検知部材あるいは前記磁性体の一方が取り付けられ、前記取り付けられた磁気検知部材あるいは磁性体の位置を通常時に位置する第１位置から第２位置に変位可能な変位部材とを備え、前記変位部材を前記遊技機本体枠あるいは前記遊技盤の一方または他方に取り付けると共に、前記磁気検知部材あるいは前記磁性体のうち前記変位部材に取り付けられていない一方を前記遊技機本体枠あるいは前記遊技盤の一方または他方に取り付け、前記磁気検知部材は、前記変位部材に取り付けられた磁気検知部材あるいは磁性体が当該遊技機の少なくとも一部の振動に伴って前記第２位置になるときに前記磁性体の磁気が検知可能な位置であると共に、外部からの磁性体の磁気が検知可能な位置に保持されていることを特徴とする遊技機に係る。
【０００７】
請求項２の発明は、前記磁気検知部材が磁気を検知したことを報知する報知手段を備えたことを特徴とする請求項１に記載の遊技機に係る。
【０００８】
請求項３の発明は、前記変位部材に取り付けられた磁気検知部材あるいは磁性体の変位方向を規制する規制部材を備えたことを特徴とする請求項１又は２に記載の遊技機に係る。
【０００９】
請求項４の発明は、前記磁気検知部材が前記磁性体の磁気を検知するための第１検知部と前記外部からの磁性体の磁気を検知するための第２検知部とを有し、前記第１検知部による検知と前記第２検知部による検知が識別可能な識別手段を備えたことを特徴とする請求項１ないし３のいずれか１項に記載の遊技機に係る。
【００１０】
請求項５の発明は、前記磁気検知部材が、前記遊技領域のうち遊技球の入球を起因に遊技者に対して価値を付与する入球領域付近に配設されたことを特徴とする請求項１ないし４のいずれか１項に記載の遊技機に係る。
【００１１】
請求項６の発明は、前記磁性体の磁気を前記磁気検知部材以外に作用させないように遮蔽するカバー部材が設けられたことを特徴とする請求項１ないし５のいずれか１項に記載の遊技機に係る。
【発明の効果】
【００１２】
請求項１の発明に係る遊技機は、遊技機本体枠と、前記遊技機本体枠に着脱可能に取り付けられると共に遊技球が流下可能な遊技領域を有する遊技盤と、前記遊技領域が視認可能な位置に配設された透明板とを備えた遊技機において、磁気を検知可能な磁気検知部材と、磁気を有する磁性体と、前記磁気検知部材あるいは前記磁性体の一方が取り付けられ、前記取り付けられた磁気検知部材あるいは磁性体の位置を通常時に位置する第１位置から第２位置に変位可能な変位部材とを備え、前記変位部材を前記遊技機本体枠あるいは前記遊技盤の一方または他方に取り付けると共に、前記磁気検知部材あるいは前記磁性体のうち前記変位部材に取り付けられていない一方を前記遊技機本体枠あるいは前記遊技盤の一方または他方に取り付け、前記磁気検知部材は、前記変位部材に取り付けられた磁気検知部材あるいは磁性体が当該遊技機の少なくとも一部の振動に伴って前記第２位置になるときに前記磁性体の磁気が検知可能な位置であると共に、外部からの磁性体の磁気が検知可能な位置に保持されているため、新たな検知部材を別途設けることなく、外部からの磁性体による不正行為と振動による不正行為の双方を一の検知部材で検知することが可能となる。
【００１３】
請求項２の発明は、請求項１の発明において、前記磁気検知部材が磁気を検知したことを報知する報知手段を備えたため、外部からの磁性体による不正行為や振動による不正行為が行われたことを容易に知ることができる。
【００１４】
請求項３の発明は、請求項１又は２において、前記変位部材に取り付けられた磁気検知部材あるいは磁性体の変位方向を規制する規制部材を備えたため、前記変位部材に取り付けられた磁気検知部材あるいは磁性体の変位方向を所望する方向のみに制限することができ、前記磁気検知部材が前記磁性体の磁気をより正確に検知することができる。
【００１５】
請求項４の発明は、請求項１ないし３において、前記磁気検知部材が前記磁性体の磁気を検知するための第１検知部と前記外部からの磁性体の磁気を検知するための第２検知部とを有し、前記第１検知部による検知と前記第２検知部による検知が識別可能な識別手段を備えたため、外部からの磁性体による不正行為と振動による不正行為を容易に判別することができる。
【００１６】
請求項５の発明は、請求項１ないし４において、前記磁気検知部材が、前記遊技領域のうち遊技球の入球を起因に遊技者に対して価値を付与する入球領域付近に配設されたため、外部からの磁性体や振動によって入球領域に遊技球を入球させようとする不正行為を検知することができる。
【００１７】
請求項６の発明は、請求項１ないし５において、前記磁性体の磁気を前記磁気検知部材以外に作用させないように遮蔽するカバー部材が設けられたため、前記磁性体の磁気が周囲に配設される周辺機器に作用することを防止することができ、前記周辺機器の破損や誤作動等の恐れを低減することができる。
【発明を実施するための最良の形態】
【００１８】
以下添付の図面に基づきこの発明の好適な実施形態を説明する。
図１はこの発明の一実施例に係る遊技機全体の正面図、図２は遊技盤裏面側の斜視図、図３は遊技盤裏面側の磁気兼振動感知部の分解斜視図、図４は外部からの磁性体の磁気を検知する第一実施例の磁気兼振動感知部近傍の要部断面図、図５は振動を検知する第一実施例の磁気兼振動感知部近傍の要部断面図、図６は外部からの磁性体の磁気を検知する第二実施例の磁気兼振動感知部近傍の要部断面図、図７は振動を検知する第二実施例の磁気兼振動感知部近傍の要部断面図、図８は第三実施例の磁気兼振動感知部近傍の要部断面図、図９は第四実施例の磁気兼振動感知部近傍の要部断面図、図１０は第五実施例の磁気兼振動感知部近傍の要部断面図、図１１は第六実施例の磁気兼振動感知部近傍の要部断面図、図１２は同遊技機のシステム制御を簡略に示すブロック図、図１３はサブ制御回路による磁気センサー感知処理のフローチャート、図１４は図１３の磁気センサー感知処理に基づいて実行される報知処理のフローチャート、図１５は主制御回路に磁気センサーが接続された遊技機のシステム制御を簡略に示すブロック図、図１６は主制御回路による磁気センサー感知処理のフローチャート、図１７はサブ制御回路による報知コマンド送信処理のフローチャート、図１８は図１７の報知コマンド送信処理に基づいて実行される報知処理のフローチャート、図１９は払出制御回路による払出停止処理のフローチャートである。
【００１９】
図１に示す本発明の一実施例に係るパチンコ遊技機である遊技機１は、遊技機本体枠２の内側に遊技盤３が着脱交換可能に収容されており、その遊技盤３に遊技球の外側ガイドレール４及び内側ガイドレール５が略円形に立設され、前記内側ガイドレール５によって囲まれた部分に遊技球が流下可能な遊技領域６が形成され、該遊技領域６には遊技球の入球可能な入球領域である入賞口等が設けられている。この実施例では、前記遊技盤３の遊技領域６に、次の複数の入賞口が設けられている。なお、図１においては、遊技盤に備えられた釘は省略している。
【００２０】
まず、遊技領域６の中心線上に設けられた画像表示装置９の下方に、普通電動役物で可動片１１ａ，１１ｂを有する始動入賞口１０、特別電動役物である大入賞装置（大入賞口）１５が配設されており、その下方にはアウト口１７が配設されている。また、上方両側にはランプ風車１８ａ，１８ｂ、その下方に普通図柄変動開始用左ゲート１９及び普通図柄変動開始用右ゲート２１、その下方に風車２２ａ，２２ｂが設けられており、その下方に左袖入賞口２３と右袖入賞口２５が配設され、さらには前記大入賞装置１５の両側に左落とし入賞口２７と右落とし入賞口２９が配設されている。
【００２１】
また、遊技機１の前面側には、遊技状態を報知する報知手段に相当する枠飾りランプ３５、払い出された遊技球を受けるための上側球受け皿３２、上側球受け皿３２を取り付けるための取付板３３、上側球受け皿３２の飽和時に遊技球を受けるための下側球受け皿３４、前記上側球受け皿３２に内蔵されて音声や効果音を発して遊技状態を遊技者に報知する報知手段に相当するスピーカ３７、遊技者の操作によって遊技領域６に遊技球を発射する発射装置（操作手段）９０等がそれぞれ組み付けられている。
【００２２】
画像表示装置９の図柄表示装置４３は、液晶、ドットマトリックスもしくはＬＥＤ表示装置等の表示装置からなり、この実施例ではカラー表示可能な液晶表示器（ＴＦＴ−ＬＣＤモジュール）等からなる画像表示部５０（可変表示領域）を備えている。画像表示部５０は、数字、アルファベット、記号あるいは絵（キャラクタ）等の普通図柄または特別図柄を変動表示及び停止表示可能としている。また、画像表示部５０は、特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能となっている。
【００２３】
この遊技機１では、遊技盤３の前面側に透明板７が配置される。この透明板７は、遊技機本体枠２を構成する透明板保持枠（図示せず）に取り付けられるものであり、前後方向に一端を軸にして開閉自在に構成された前記透明板保持枠を閉じた際に、当該透明板７を介して遊技領域６が視認可能とされている。また、透明板７としては、透明板保持枠に取り付けた際に遊技領域６が視認可能なものであればよく、例えば、ガラスやプラスチック等の透明な部材が使用される。
【００２４】
なお、図示しないが、遊技機１の遊技盤３は遊技盤保持枠に取り付けられ、その裏面側には、遊技全体の進行を各種制御基板と連携して制御する主制御基板、該遊技盤の前面側に配設された前記画像表示装置９の画像表示部５０への図柄等の表示制御を行う図柄制御基板、賞球の払い出しを制御する払出制御基板等が設けられている。また、この遊技機１において、遊技機本体枠２は、前記透明板保持枠の他、遊技盤３を取り付けるための前記遊技盤保持枠、各基板ケース等が取り付けられる裏機構盤等が相当する。
【００２５】
この発明の遊技機１では、図１〜図５に示すように、遊技盤３の裏側に外部からの磁性体Ｍの磁気と振動Ｖを検知するための磁気兼振動感知部６０が配置されている。この磁気兼振動感知部６０は、磁気を検知可能な磁気検知部材６１と、磁気を有する磁性体６２と、変位部材６３とを備える。この実施例において、外部からの磁性体Ｍとは、磁気を有する磁石等であって、遊技者が透明板７の外側から近接させたり、透明板７と遊技盤３との間や遊技機本体枠２内部に入り込ませる等の不正行為を行う際に使用されるものを表す。また、振動Ｖは、遊技者が遊技機１の遊技領域６付近を叩く等して衝撃を与えた際に生じるものを表す。図において、符号３Ａは遊技盤３の裏側に形成された窪み、３Ｂは遊技盤３の一部として構成され前記磁気兼振動感知部６０を覆うようにして遊技盤３裏側の前記窪み３Ａに取付固定する断面コの字型に形成された取付部材、６４は前記窪み３Ａに嵌挿され磁気兼振動感知部６０が挿入されて遊技盤３に取付固定される挿入部材である。
【００２６】
図２〜図５に示す第一実施例の磁気兼振動感知部６０Ａは、磁気検知部材６１が挿入部材６４を介して遊技盤３裏側の窪み３Ａに取り付けられ、磁性体６２が取付部材３Ｂの内側の前記窪み３Ａに正対する面に変位部材６３を介して取り付けられたものである。この実施例において、磁気検知部材６１は公知の磁気センサーが使用され、遊技領域６側部分に外部からの磁性体の磁気を検知するための第１検知部６１ａが設けられているとともに、第１検知部６１ａと正対する磁性体６２側部分に磁性体６２の磁気を検知するための第２検知部６１ｂが設けられている。また、磁性体６２は、公知の磁石からなり、伸縮自在なバネからなる変位部材６３によって、通常時には前記磁気センサー６１によって磁気が検知されない第１位置（この例では取付部材３Ｂに近接した位置）に付勢保持され、衝撃等が加えられたことによって当該遊技機１が振動した際には前記磁気センサー６１によって磁気が検知可能な第２位置（この例では磁気センサー６１に近接した位置）に変位（符号ｒ１）可能に構成される。図４，５において、符号Ｎは遊技領域６に設けられた釘、Ｐは遊技球である。
【００２７】
さらに、この磁気兼振動感知部６０Ａでは、変位部材６３に取り付けられた磁石６２が、一側（遊技盤３側）が解放された筒形状の収納部材６５に収納されるように構成されている。この収納部材６５は、収納される磁石６２とほぼ同径に形成されており、前記磁石６２の変位（符号ｒ１）を磁気センサー６１に対して略垂直な方向に規制する規制部材として作用する。これにより、当該遊技機１が振動した際に、磁石６２の磁気が磁気センサー６１によって検知できない位置に変位することを防止することができ、前記磁気センサー６１によって磁石６２の磁気をより正確に検知することが可能となる。
【００２８】
また、この収納部材６５は、取付部材３Ｂとともに磁気を遮蔽可能な導電性樹脂等の公知のシールド素材からなるカバー部材に相当し、磁石６２の磁気を磁気センサー６１以外に作用させないように遮蔽するように構成されている。このように、磁石６２の磁気を遮蔽することにより、前記磁石６２の磁気が各種制御基板等の周辺機器に作用することを防止することができ、前記周辺機器の破損や誤作動等の恐れを低減することができる。
【００２９】
上記の如く構成された磁気兼振動感知部６０Ａにあっては、図４に示すように、遊技領域６内を流下する遊技球Ｐに対して外部からの磁性体Ｍが近付けられた際に、磁気センサー６１の第１検知部６１ａによって前記外部からの磁性体Ｍの磁気が検知されて、前記外部からの磁性体Ｍによる不正行為を検知することができる。また、図５に示すように、遊技領域６付近に衝撃等が加えられて振動Ｖが生じた際には、前記振動Ｖに伴って変位部材６３であるバネが伸びて磁石６２が第１位置から第２位置へ変位（符号ｒ１）され、磁気センサー６１の第２検知部６１ｂによって前記第２位置に変位された磁石６２の磁気が検知されて、前記振動Ｖによる不正行為を検知することができる。なお、図１，４，５に示すように、この磁気兼振動感知部６０は、遊技盤３の遊技領域６に配置された始動入賞口１０近傍の裏側に設けることが好ましい。この構成により、特に遊技において大当たりを算出する可能性の高い入賞口（始動入賞口１０）付近での外部からの磁性体Ｍや振動Ｖによる不正行為を判明しやすくすることができる。
【００３０】
図６，７に示す第二実施例の磁気兼振動感知部６０Ｂは、磁気センサー６１が遊技盤３裏側の窪み３Ａの挿入部材６４に変位部材６３を介して取り付けられ、磁石６２が取付部材３Ｂの内側の前記窪み３Ａに正対する面に取り付けられたものである。この実施例では、磁気センサー６１は、通常時に変位部材６３によって遊技領域６に近接した位置（第１位置）に付勢保持され、衝撃等が加えられたことによって当該遊技機１が振動した際には磁石６２に近接した位置（第２位置）に変位（符号ｒ２）可能に構成される。また、この磁気兼振動感知部６０Ｂでは、両側が解放された筒形状の収納部材６５Ｂが遊技盤３の裏側に取り付けられ、変位部材６３による磁気センサー６１の変位（符号ｒ２）を磁石６２に対して略垂直な方向に規制するように構成されている。
【００３１】
磁気兼振動感知部６０Ｂでは、図６に示すように、外部からの磁性体Ｍが近付けられた際に、磁気センサー６１の第１検知部６１ａによって前記外部からの磁性体Ｍの磁気が検知されて、前記外部からの磁性体Ｍによる不正行為を検知することができる。また、図７に示すように、遊技領域６付近に衝撃等が加えられて振動Ｖが生じた際には、前記振動Ｖに伴って変位部材６３であるバネが伸びて磁気センサー６１が磁石６２に近接する位置へ変位（符号ｒ２）され、磁気センサー６１の第２検知部６１ｂによって磁石６２の磁気が検知されて、前記振動Ｖによる不正行為を検知することができる。なお、以下の実施例において、第一実施例と同一符号は同一の構成を表すものとして、その説明を省略する。
【００３２】
図８に示す第三実施例の磁気兼振動感知部６０Ｃは、磁気センサー６１が取付部材３Ｂの遊技盤３側の面に変位部材６３を介して取り付けられ、磁石６２が挿入部材６４を介して遊技盤３裏側の窪み３Ａに取り付けられたものである。この実施例では、磁気センサー６１は、通常時に変位部材６３によって遊技領域６に近接した位置（第１位置）に付勢保持され、衝撃等が加えられたことによって当該遊技機１が振動した際には通常時の位置から磁石６２に近接した位置（第２位置）へ揺動するように変位（符号ｒ３）可能に構成される。なお、図示しないが、この磁気兼振動感知部６０Ｃでは、磁気センサー６１が通常時の位置から変位（符号ｒ３）される際に、磁石６２から遠ざかる方向へ揺動することを規制する規制部材を配置してもよい。
【００３３】
磁気兼振動感知部６０Ｃでは、外部からの磁性体Ｍが近付けられた際に、磁気センサー６１の第１検知部６１ａによって前記外部からの磁性体Ｍの磁気が検知されて、前記外部からの磁性体Ｍによる不正行為を検知することができる。また、遊技領域６付近に衝撃等が加えられて振動Ｖが生じた際には、前記振動Ｖに伴って変位部材６３を介して磁気センサー６１が揺動して磁石６２に近接する位置へ変位（符号ｒ３）され、磁気センサー６１の第２検知部６１ｂによって磁石６２の磁気が検知されて、前記振動Ｖによる不正行為を検知することができる。
【００３４】
図９に示す第四実施例の磁気兼振動感知部６０Ｄは、磁気センサー６１が取付部材３Ｂの遊技盤３側の面に取り付けられ、磁石６２が遊技盤３裏側の窪み３Ａの挿入部材６４に変位部材６３を介して取り付けられたものである。この実施例では、磁気センサー６１が遊技領域６に近接した位置に配置されるように取付部材３Ｂの遊技盤３裏側に正対する面が前記遊技盤３に近接するように構成されている。また、磁石６２は、通常時に変位部材６３によって遊技盤３裏側に近接した前記磁気センサー６１によって磁気が検知されない位置（第１位置）に付勢保持され、衝撃等が加えられたことによって当該遊技機１が振動した際には通常時の位置から磁気センサー６１に近接した位置（第２位置）へ揺動するように変位（符号ｒ４）可能に構成される。なお、図示しないが、この磁気兼振動感知部６０Ｄでは、磁石６２が通常時の位置から変位（符号ｒ４）される際に、磁気センサー６１から遠ざかる方向へ揺動することを規制する規制部材を配置してもよい。
【００３５】
磁気兼振動感知部６０Ｄでは、外部からの磁性体Ｍが近付けられた際に、磁気センサー６１の第１検知部６１ａによって前記外部からの磁性体Ｍの磁気が検知されて、前記外部からの磁性体Ｍによる不正行為を検知することができる。また、遊技領域６付近に衝撃等が加えられて振動Ｖが生じた際には、前記振動Ｖに伴って変位部材６３を介して磁石６２が揺動して磁気センサー６１に近接する位置へ変位（符号ｒ４）され、磁気センサー６１の第２検知部６１ｂによって磁石６２の磁気が検知されて、前記振動Ｖによる不正行為を検知することができる。
【００３６】
図１０に示す第五実施例の磁気兼振動感知部６０Ｅは、磁気センサー６１が遊技盤３裏側の窪み３Ａの挿入部材６４に変位部材６３を介して取り付けられ、磁石６２が遊技盤３の裏側に取り付けられたものである。この実施例では、磁気センサー６１は、通常時に変位部材６３によって遊技領域６に近接した前記磁石６２の磁気を検知しない位置（第１位置）に付勢保持され、衝撃等が加えられたことによって当該遊技機１が振動した際には通常時の位置から磁石６２に近接した位置（第２位置）へ揺動するように変位（符号ｒ５）可能に構成される。なお、図示しないが、この磁気兼振動感知部６０Ｅでは、磁気センサー６１が通常時の位置から変位（符号ｒ５）される際に、磁石６２から遠ざかる方向へ揺動することを規制する規制部材を配置してもよい。
【００３７】
磁気兼振動感知部６０Ｅでは、外部からの磁性体Ｍが近付けられた際に、磁気センサー６１の第１検知部６１ａによって前記外部からの磁性体Ｍの磁気が検知されて、前記外部からの磁性体Ｍによる不正行為を検知することができる。また、遊技領域６付近に衝撃等が加えられて振動Ｖが生じた際には、前記振動Ｖに伴って変位部材６３を介して磁気センサー６１が揺動して磁石６２に近接する位置へ変位（符号ｒ５）され、磁気センサー６１の第２検知部６１ｂによって磁石６２の磁気が検知されて、前記振動Ｖによる不正行為を検知することができる。
【００３８】
図１１に示す第六実施例の磁気兼振動感知部６０Ｆは、磁気センサー６１が遊技盤３の裏側に取り付けられ、磁石６２が遊技盤３裏側の窪み３Ａの挿入部材６４に変位部材６３を介して取り付けられたものである。この実施例では、磁石６２は、通常時に変位部材６３によって遊技盤３裏側に近接した前記磁気センサー６１によって磁気が検知されない位置（第１位置）に付勢保持され、衝撃等が加えられたことによって当該遊技機１が振動した際には通常時の位置から磁気センサー６１に近接した位置（第２位置）へ揺動するように変位（符号ｒ６）可能に構成される。なお、図示しないが、この磁気兼振動感知部６０Ｆでは、磁石６２が通常時の位置から変位（符号ｒ６）される際に、磁気センサー６１から遠ざかる方向へ揺動することを規制する規制部材を配置してもよい。
【００３９】
磁気兼振動感知部６０Ｆでは、外部からの磁性体Ｍが近付けられた際に、磁気センサー６１の第１検知部６１ａによって前記外部からの磁性体Ｍの磁気が検知されて、前記外部からの磁性体Ｍによる不正行為を検知することができる。また、遊技領域６付近に衝撃等が加えられて振動Ｖが生じた際には、前記振動Ｖに伴って変位部材６３を介して磁石６２が揺動して磁気センサー６１に近接する位置へ変位（符号ｒ６）され、磁気センサー６１の第２検知部６１ｂによって磁石６２の磁気が検知されて、前記振動Ｖによる不正行為を検知することができる。
【００４０】
この遊技機１では、図１２のブロック図にて概略を説明するように、主制御回路１２１と、同回路１２１にサブ制御回路１３１、外部端子板１１７、払出制御回路１１８、中継回路１４１等が接続される。サブ制御回路１３１には、磁気センサー６１、表示制御回路１６１、発光制御回路１１５、音声制御回路１１２が接続される。中継回路１４１には遊技盤３に配設された大入賞装置に係わるスイッチ、発光制御回路１１５には各種ランプ及びその他の発光体、ＬＥＤ等が接続されている。加えて、払出制御回路１１８には貸球払出装置１４８、発射制御回路１１９等が接続され、当該発射制御回路１１９には発射装置９０が接続されている。この払出制御回路１１８及びフォト分配回路１４６には賞球払出装置１４５が接続されている。各制御基板は主制御回路１２１、サブ制御回路１３１からの制御信号に基づいて所定の処理を実行可能に制御されている。なお、遊技機１では画像表示装置９や各種役物、ランプ表示器３５、スピーカ３７等により、適宜の作動態様による演出が実行される。
【００４１】
主制御回路１２１は、ＣＰＵ，ＲＡＭ，ＲＯＭ、並びに複数のカウンタを備えたコンピュータと、該コンピュータとサブ制御回路１３１等を結ぶ入出力回路と、前記コンピュータと大入賞装置等に接続される中継回路１４１等を結ぶ入出力回路等で構成される。ＣＰＵは、制御部，演算部，各種カウンタ，各種レジスタ，各種フラグ、後述する各種タイマ等を備え、演算制御を行う他、大当たりの発生確率や小当たり（始動入賞口１０の拡開開放を行う普通図柄当たり）の発生確率を定める乱数等も生成している。当該ＣＰＵは、実施例において、当否判定手段、特別遊技実行手段、特典遊技実行手段、主制御手段、報知制御手段、遊技進行検出手段等に相当し、列記した各手段に係る処理は同主制御回路１２１内のＲＡＭ，ＲＯＭ等と連携して適式に各種演算され、遊技機１における遊技進行は制御されている。また、前記ＲＡＭは、記憶手段に相当し、特別図柄変動開始スイッチの検出信号、普通図柄変動開始スイッチの検出信号用の記憶領域，ＣＰＵで生成される各種乱数値用の記憶領域，各種データ（コマンドデータ）を一時的に記憶する記憶領域やフラグ，ＣＰＵの作業領域を備えており、音声情報等の各種データを記憶する。さらに、前記ＲＯＭには、遊技上の制御プログラムや制御データが書き込まれている他、各種遊技状態における大当たり及び小当たりの判定値等が書き込まれている。なお、実施例では、主制御回路１２１のＣＰＵは、割り込み時間（２ｍｓｅｃ）毎に主制御回路１２１のＲＯＭに記憶されている各プログラム（メインルーチン）を実行する。
【００４２】
サブ制御回路１３１は、ＣＰＵ，ＲＡＭ，ＲＯＭを備えたコンピュータと、該コンピュータと磁気センサー６１の第１検知部６１ａ及び第２検知部６１ｂ、主制御回路１２１、音声制御回路１１２、発光制御回路１１５、表示制御回路１６１とを結ぶ入出力回路を備える。同サブ制御回路１３１内のＣＰＵ，ＲＡＭ，ＲＯＭ等では、前記の主制御回路１２１とほぼ同様の演算が実行される。また、特に、サブ制御回路１３１内のＣＰＵは、磁気センサー６１の第１検知部６１ａまたは第２検知部６１ｂのどちらで磁気が検知されたかを識別する識別手段にも相当する。このサブ制御回路１３１においては、主制御回路１２１で生成されたコマンドデータから末端の各制御回路に対し調製したコマンドデータがさらに生成される。このため、主制御回路１２１の演算負荷は軽減されると共に主制御回路は遊技の進行に関するコマンド生成に特化される。なお、実施例では、サブ制御回路１３１のＣＰＵは、割り込み時間（２ｍｓｅｃ）毎にサブ制御回路１３１のＲＯＭに記憶されている各プログラム（メインルーチン）を実行する。
【００４３】
表示制御回路１６１は、ＣＰＵ，ＲＡＭ，ＲＯＭを備えたコンピュータと、該コンピュータとサブ制御回路１３１を結ぶ入力回路と、前記コンピュータと図柄表示装置４３を結ぶ出力回路等で構成される。表示制御回路内のＣＰＵは、内部に制御部，演算部，各種カウンタ，各種レジスタ，各種フラグ等を有し演算制御を行うようになっている。同回路のＲＡＭは、記憶領域とＣＰＵによる作業領域等を有しており、各種画像データを記憶する。同回路内のＲＯＭには、画像表示部５０に表示する特別図柄、背景、遊技演出上の画像データが書き込まれている。発光制御回路１１５、音声制御回路１１２についても、図示はしないが、それぞれに制御用ＣＰＵ、制御データＲＯＭ、制御データＲＡＭが適式に備えられ、各種コマンドに応答した発光（点灯）、発声（発音）が実行される。
【００４４】
また、この実施例では、磁気センサーの第１検知部６１ａまたは第２検知部６１ｂのいずれかで磁気が検知されると、検知信号がサブ制御回路１３１の入力回路に入力され、第１検知部６１ａまたは第２検知部６１ｂのどちらで磁気が検知されたかの判断がされて、出力回路から音声制御回路１１２や発光制御回路１１５に第１検知部６１ａまたは第２検知部６１ｂのいずれかで磁気が検知されたことを意味するコマンドが送信される。その後、各制御回路１１２，１１５からスピーカ３７やＬＥＤ等に対して所定のアナログ信号が送信されて、適宜の報知が実行される。
【００４５】
次に、図１３，１４のフローチャートを用いて、外部からの磁性体Ｍや振動Ｖによる不正行為が行われた際に実行される各処理について説明する。この実施例では、磁気センサー感知処理（Ｓ１０）と、報知処理（Ｓ２０）が実行される。
【００４６】
図１３に示すフローチャートは、サブ制御回路１３１で実行される磁気センサー感知処理（Ｓ１０）である。磁気センサー感知処理（Ｓ１０）では、まず、磁気センサー６１の第１検知部６１ａからの検知信号を受信したか否か判断される（Ｓ１１）。第１検知部６１ａからの検知信号を受信したと判断された場合には、音声制御回路１１２または／及び発光制御回路１１５に第１報知コマンドが送信される（Ｓ１２）。一方、第１検知部６１ａからの検知信号を受信していないと判断された場合には、続いて、第２検知部６１ｂからの検知信号を受信したか否か判断される（Ｓ１３）。そして、第２検知部６１ｂからの検知信号を受信したと判断された場合には、音声制御回路１１２または／及び発光制御回路１１５に第２報知コマンドが送信される（Ｓ１４）。なお、第２検知部６１ｂからの検知信号を受信していないと判断された場合には、この磁気センサー感知処理（Ｓ１０）は終了される。
【００４７】
図１４に示すフローチャートは、音声制御回路１１２または発光制御回路１１５で実行される報知処理（Ｓ２０）である。報知処理（Ｓ２０）では、まず、サブ制御回路１３１からの第１報知コマンドを受信したか否か判断される（Ｓ２１）。第１報知コマンドを受信したと判断された場合には、スピーカ３７または／及び各ランプに第１報知態様を実行するためのアナログ信号が送信される（Ｓ２２）。一方、第１報知コマンドを受信していないと判断された場合には、続いて、第２報知コマンドを受信したか否か判断される（Ｓ２３）。そして、第２報知コマンドを受信したと判断された場合には、スピーカ３７または／及び各ランプに第２報知態様を実行するためのアナログ信号が送信される（Ｓ２４）。なお、第２報知コマンドを受信していないと判断された場合には、この報知処理（Ｓ２０）は終了される。
【００４８】
ここで、第１報知態様とは、磁気センサー６１の第１検知部６１ａが外部からの磁性体Ｍの磁気を検知した際に、外部からの磁性体Ｍによる不正行為が行われたことをスピーカ３７または／及び各ランプによって報知するものである。実施例では、スピーカ３７により「磁石による不正が行われています」等の音声による報知とともに、ランプ３５を赤色に点滅させる報知が行われる。
【００４９】
また、第２報知態様とは、磁気センサー６１の第２検知部６１ｂが磁石６２の磁気を検知した際に、振動Ｖによる不正行為が行われたことを、前記第１報知態様とは異なる態様でスピーカ３７または／及び各ランプによって報知するものである。実施例では、スピーカ３７により「振動による不正が行われています」等の音声による報知とともに、ランプ３５を緑色に点滅させる報知が行われる。
【００５０】
上記の如く構成された遊技機１では、外部からの磁性体Ｍが遊技領域６に近付けられると、磁気センサー６１の第１検知部６１ａによって前記外部からの磁性体Ｍの磁気が検知され、サブ制御回路１３１で第１検知部６１ａによる磁気検知が判断されて、前記サブ制御回路１３１の信号に基づいてスピーカ３７やランプ３５が外部からの磁性体Ｍによる不正行為が行われたことを報知するように構成される。一方、当該遊技機１の遊技領域６付近に叩く等の衝撃が加えられて衝撃Ｖが発生すると、前記衝撃Ｖによって変位部材６３が第１位置（通常位置）に位置する磁石６２（あるいは磁気センサー６１）を第２位置に変位させて磁気センサー６１の第２検知部６１ｂによって磁石６２の磁気が検知され、サブ制御回路１３１で第２検知部６１ｂによる磁気検知が判断されて、前記サブ制御回路１３１の信号に基づいてスピーカ３７やランプ３５が振動Ｖによる不正行為が行われたことを報知するように構成される。このように、当該遊技機１では、外部からの磁性体Ｍによる不正行為や振動Ｖによる不正行為のいずれが行われた場合であっても、新たな検知手段を別途設けることなく、単一の磁気センサー６１によって前記各不正行為を検知することができる。
【００５１】
なお、上記実施例では、磁気センサー６１の各検知部６１ａ，６１ｂでの検知信号をサブ制御回路１３１に送信する構成としたが、例えば、図１５に示すように、前記各検知部６１ａ，６１ｂを主制御回路１２１に接続して、各検知部６１ａ，６１の検知信号を前記主制御回路１２１に送信する構成として、主制御回路１２１で前記各検知部６１ａ，６１ｂのどちらで磁気が検知されたかの判断をしてサブ制御回路１３１を介して音声制御回路１１２や発光制御回路１１５にコマンドを送信する構成としてもよい。この実施例としては、例えば、磁気センサー感知処理（Ｓ５０）と、報知コマンド送信処理（Ｓ６０）、報知処理（Ｓ７０）、払出停止処理（Ｓ８０）を実行するように構成される。
【００５２】
図１６に示すフローチャートは、主制御回路１２１で実行される磁気センサー感知処理（Ｓ５０）である。磁気センサー感知処理（Ｓ５０）では、まず、磁気センサー６１の第１検知部６１ａからの検知信号を受信したか否か判断される（Ｓ５１）。第１検知部６１ａからの検知信号を受信したと判断された場合には、サブ制御回路１３１に第１検知コマンドが送信され（Ｓ５２）、続いて、外部端子板１１７に磁気検知受信信号が送信される（Ｓ５３）とともに、払出制御回路１１８に磁気検知受信信号が送信される（Ｓ５４）。一方、第１検知部６１ａからの検知信号を受信していないと判断された場合には、続いて、第２検知部６１ｂからの検知信号を受信したか否か判断される（Ｓ５５）。そして、第２検知部６１ｂからの検知信号を受信したと判断された場合には、サブ制御回路１３１に第２検知コマンドが送信され（Ｓ５６）、続いて、外部端子板１１７に磁気検知受信信号が送信される（Ｓ５７）とともに、払出制御回路１１８に磁気検知受信信号が送信される（Ｓ５８）。なお、第２検知部６１ｂからの検知信号を受信していないと判断された場合には、この磁気センサー感知処理（Ｓ５０）は終了される。
【００５３】
図１７に示すフローチャートは、サブ制御回路１３１で実行される報知コマンド送信処理（Ｓ６０）である。報知コマンド送信処理（Ｓ６０）では、まず、主制御回路１２１からの第１検知コマンドを受信したか否か判断される（Ｓ６１）。第１検知コマンドを受信したと判断された場合には、音声制御回路１１２または／及び発光制御回路１１５に第１報知コマンドが送信される（Ｓ６２）。一方、第１報知コマンドを受信していないと判断された場合には、続いて、第２検知コマンドを受信したか否か判断される（Ｓ６３）。そして、第２検知コマンドを受信したと判断された場合には、音声制御回路１１２または／及び発光制御回路１１５に第２報知コマンドが送信される（Ｓ６４）。なお、第２検知コマンドを受信していないと判断された場合には、この報知コマンド送信処理（Ｓ６０）は終了される。
【００５４】
図１８に示すフローチャートは、音声制御回路１１２または発光制御回路１１５で実行される報知処理（Ｓ７０）である。報知処理（Ｓ７０）では、まず、サブ制御回路１３１からの第１報知コマンドを受信したか否か判断される（Ｓ７１）。第１報知コマンドを受信したと判断された場合には、スピーカ３７または／及び各ランプに第１報知態様を実行するためのアナログ信号が送信される（Ｓ７２）。一方、第１報知コマンドを受信していないと判断された場合には、続いて、第２報知コマンドを受信したか否か判断される（Ｓ７３）。そして、第２報知コマンドを受信したと判断された場合には、スピーカ３７または／及び各ランプに第２報知態様を実行するためのアナログ信号が送信される（Ｓ７４）。なお、第２報知コマンドを受信していないと判断された場合には、この報知処理（Ｓ７０）は終了される。
【００５５】
図１９に示すフローチャートは、払出制御回路１１８で実行される払出停止処理（Ｓ８０）である。払出停止処理（Ｓ８０）では、主制御回路１２１からの磁気検知受信信号を受信したか否か判断される（Ｓ８１）。磁気検知受信信号を受信したと判断された場合には、賞球払出装置１４５の賞球モータに賞球モータ停止信号が送信される（Ｓ８２）。なお、磁気検知受信信号を受信していないと判断された場合には、この払出停止処理処理（Ｓ８０）は終了される。
【００５６】
この実施例にあっては、磁気センサー６１の検知部６１ａ，６１ｂが磁気を検知した信号を主制御回路１２１から外部端子板１１７を介して外部（例えば、ホールコンピューター）に送信する構成であるため、前記ホールコンピューターで磁気センサー６１の反応があったこと感知することによって不正行為が行われたことを店員等が容易に知ることができる。また、磁気センサー６１の検知部６１ａ，６１ｂが磁気を検知した信号を主制御回路１２１から払出制御回路１１８に送信して、賞球払出装置１４５の賞球モータの駆動を停止させる構成とすれば、不正行為によって遊技球が入球口に入球したしても賞球の払出を停止することができ、遊技者が不正に賞球を得ることを防止して不正行為の抑制を行うことができる。
【００５７】
なお、上記実施例では主制御回路１２１から外部端子板に検知信号を送信する構成としたが、サブ制御回路１３１等の他の制御回路から外部端子板に検知信号を送信する構成とすることもできる。
【００５８】
また、上記実施例では不正行為が行われた際に賞球払出装置を停止させる構成としたが、発射装置による遊技球の発射を停止させたり、特別図柄や普通図柄を変動させないようにして大当たりや小当たりを発生させないようにしたり、主制御回路において遊技に関わる種々のカウンタやフラグを一旦停止させる等、不正行為が行われた際に遊技動作を停止させる構成としてもよい。さらに、遊技動作を停止させる場合、停止後の遊技を再開するために遊技機の裏側に遊技再開スイッチを設けたり、所定時間経過した後に自動で遊技が再開する構成としてもよい。その際、再開後には、停止直前の遊技から再開するようにしたり、遊技状態を初期化する等、適宜の状態から再開する構成とすることができる。特に、遊技状態を初期化する場合では、例えば、大当たり中に大入賞口に遊技球を不正に入球させようとした際に遊技動作を停止して、その後、遊技動作の再開時に遊技状態が初期化されていれば大当たりがなくなっているので、不正行為を行った遊技者が大当たり中に不正に賞球を得ることが不可能となる等、それまでの遊技状態を把握することが困難となって、不正行為を行った遊技者が再度不正行為を行うことを抑制することが可能である。
【００５９】
なお、本発明の遊技機は、前述の実施例のみに限定されるものではなく、発明の趣旨を逸脱しない範囲において構成の一部を適宜に変更して実施することができる。実施例では、磁気兼振動感知部を始動入賞口近傍の遊技盤裏側に配置したが、外部からの磁性体Ｍの磁気が検知可能な位置であればどこに配置してもよく、例えば、大入賞口や各入賞口近傍の遊技盤裏側、遊技領域外の遊技盤裏側、遊技盤表側等の他、遊技機本体枠等に配置しても構わない。また、磁気兼振動感知部の磁気センサーまたは磁石のいずれか一方を遊技盤に配置して他方を遊技機本体枠に配置してもよい。
【００６０】
また、実施例では、磁気センサーに外部からの磁性体の磁気を検知する第１検知部と、磁気兼振動感知部の磁石の磁気を検知する第２検知部とを設け、外部からの磁性体による不正行為と振動による不正行為を異なる態様で報知する構成としたが、より簡易な構成とするために外部からの磁性体の磁気と磁気兼振動感知部の磁石の磁気を一の検知部で検知して各不正行為を同一の態様で報知する構成とすることもできる。
【００６１】
さらに、実施例の報知態様は、不正行為を報知する際にスピーカによる音声やランプの点灯等を行うように構成したが、これに限定されるものではなく、例えば、発射装置のハンドルを振動させる等して不正行為を行った遊技者自身に知らせて不正行為を抑制する構成としてもよい。
【００６２】
また、この遊技機では、磁気兼振動検知部を、磁気検知部材と、前記磁気検知部材に近接するとともに磁気を発生する第１状態と磁気を発生しない第２状態とに変換可能な磁気発生部材と、振動に伴って前記磁気発生部材を第２状態から第１状態へ移行させるための移行手段と、報知手段とを備え、前記磁気検知部材は前記磁気発生部材により発生された磁気と外部からの磁性体からの磁気を検知する検知部を有し、前記検知部により各磁気のいずれか一方あるいは双方を検知した場合に、前記報知手段により報知するように構成してもよい。この実施例としては、例えば、移行手段としてのスイッチと磁気発生部材としての磁気発生装置を配置し、遊技機が振動した際にスイッチがＯＮとなって磁気発生装置から磁気が発生され、磁気検知部材としての磁気センサーが前記磁気を感知して振動による不正行為が報知されるように構成される。これにより、新たな検知部材を別途設けることなく、外部からの磁性体による不正行為と振動による不正行為の双方を一の検知部材で検知することが可能となることに加え、磁気発生部材が常時磁気を発生するものでないことから、不正行為が行われていないときには磁気検知部材が磁気発生部材の磁気を検知することがなく、誤作動を抑制することができる。
【図面の簡単な説明】
【００６３】
【図１】この発明の一実施例に係る遊技機全体の正面図である。
【図２】遊技盤裏面側の斜視図である。
【図３】遊技盤裏面側の磁気兼振動感知部の分解斜視図である。
【図４】外部からの磁性体の磁気を検知する第一実施例の磁気兼振動感知部近傍の要部断面図である。
【図５】振動を検知する第一実施例の磁気兼振動感知部近傍の要部断面図である。
【図６】外部からの磁性体の磁気を検知する第二実施例の磁気兼振動感知部近傍の要部断面図である。
【図７】振動を検知する第二実施例の磁気兼振動感知部近傍の要部断面図である。
【図８】第三実施例の磁気兼振動感知部近傍の要部断面図である。
【図９】第四実施例の磁気兼振動感知部近傍の要部断面図である。
【図１０】第五実施例の磁気兼振動感知部近傍の要部断面図である。
【図１１】第六実施例の磁気兼振動感知部近傍の要部断面図である。
【図１２】同遊技機のシステム制御を簡略に示すブロック図である。
【図１３】サブ制御回路による磁気センサー感知処理のフローチャートである。
【図１４】図１３の磁気センサー感知処理に基づいて実行される報知処理のフローチャートである。
【図１５】主制御回路に磁気センサーが接続された遊技機のシステム制御を簡略に示すブロック図である。
【図１６】主制御回路による磁気センサー感知処理のフローチャートである。
【図１７】サブ制御回路による報知コマンド送信処理のフローチャートである。
【図１８】図１７の報知コマンド送信処理に基づいて実行される報知処理のフローチャートである。
【図１９】払出制御回路による払出停止処理のフローチャートである。
【符号の説明】
【００６４】
１  遊技機
２  遊技機本体枠
３  遊技盤
６  遊技領域
７  透明板
９  画像表示装置
１０  始動入賞口
６０  磁気兼振動感知部
６１  磁気センサー
６２  磁石
６３  変位部材
６５  収納部材
Ｍ  外部からの磁性体
Ｐ  遊技球
Ｖ  振動
【図１】
2008289637.tif 000003
【図２】
2008289637.tif 000004
【図３】
2008289637.tif 000005
【図４】
2008289637.tif 000006
【図５】
2008289637.tif 000007
【図６】
2008289637.tif 000008
【図７】
2008289637.tif 000009
【図８】
2008289637.tif 000010
【図９】
2008289637.tif 000011
【図１０】
2008289637.tif 000012
【図１１】
2008289637.tif 000013
【図１２】
2008289637.tif 000014
【図１３】
2008289637.tif 000015
【図１４】
2008289637.tif 000016
【図１５】
2008289637.tif 000017
【図１６】
2008289637.tif 000018
【図１７】
2008289637.tif 000019
【図１８】
2008289637.tif 000020
【図１９】
2008289637.tif 000021